(57)【要約】【課題】  焼き付いた部分が目立たせることなく、表示画面の焼き付きを綺麗に均一化させることが可能な表示装置を提供する。 【解決手段】  基準信号発生回路３１により発生するそれぞれ異なる周波数の２つの基準信号Ａ、Ｂに基づいて、論理否定回路３２、論理積回路３３および論理和回路３４を用いて、Ａ（ＡＮＤ）Ｂ、Ａ（ＯＲ）Ｂ、Ａ*（ＡＮＤ）Ｂ、Ａ*（ＯＲ）Ｂ、Ａ（ＡＮＤ）Ｂ*、Ａ（ＯＲ）Ｂ*、Ａ*（ＡＮＤ）Ｂ*、Ａ*（ＯＲ）Ｂ*の８つの論理演算信号を生成させ、この８つの論理演算信号を基準クロックによりサンプリングして１ビットのデ−タ（８つ）を取得し、さらに、この８つのデ−タをそれぞれ、階調値を示す８ビットの各ビットにそれぞれ割り当てることにより、ランダムな階調を有する各画素の色信号を生成するように構成されている。【選択図】図２
2006313281.tif 000002
【特許請求の範囲】
【請求項１】
入力映像信号に基づいて所定の表示画像をプラズマディスプレイパネルに表示させる表示装置において、
それぞれ異なる周波数の２つの基準信号を発生する基準信号発生回路と、
上記基準信号発生回路における上記２つの基準信号の出力側にそれぞれ接続された２つの否定回路と、上記基準信号発生回路にそれぞれ接続され、上記基準信号と同基準信号の論理否定信号とが入力される４つの論理積回路および４つの論理和回路とを備え、上記２つの基準信号の一方をＡ、他方をＢとしたときに、Ａ（ＡＮＤ）Ｂ、Ａ（ＯＲ）Ｂ、Ａ*（ＡＮＤ）Ｂ、Ａ*（ＯＲ）Ｂ、Ａ（ＡＮＤ）Ｂ*、Ａ（ＯＲ）Ｂ*、Ａ*（ＡＮＤ）Ｂ*、Ａ*（ＯＲ）Ｂ*の８つの論理演算を行うように構成されたランダム信号発生回路と、
所定の操作があったことを受けて、上記ランダム信号発生回路により得られる８つの論理演算信号を基準クロックによりサンプリングし、このサンプリングにより得られた８つのビットデ−タを、Ａ（ＡＮＤ）Ｂ、Ａ（ＯＲ）Ｂ、Ａ*（ＡＮＤ）Ｂ、Ａ*（ＯＲ）Ｂ、Ａ（ＡＮＤ）Ｂ*、Ａ（ＯＲ）Ｂ*、Ａ*（ＡＮＤ）Ｂ*、Ａ*（ＯＲ）Ｂ*の論理演算信号から得られたデ−タが、順に下位ビットとなるように、Ｒ、Ｇ、Ｂの各信号における８ビットにて表される階調値の各ビットに適用することによりランダムな階調を有する色信号を生成するランダム信号生成手段と
を具備することを特徴とする表示装置。
（Ａ*、Ｂ*は、それぞれ基準信号Ａ、Ｂの論理否定信号）
【請求項２】
入力映像信号に基づいて所定の表示画像を表示部に表示させる表示装置において、
それぞれ異なる周波数の２つの基準信号を発生する基準信号発生回路と、
上記基準信号発生回路にて発生した２つの基準信号に基づいて、ランダムな信号を生成するランダム信号発生回路と、
上記ランダム信号発生回路にて生成した信号を基準クロックによりサンプリングし、これを８ビットのＲ、Ｇ、Ｂの各色信号の階調値に適用してランダムな階調を有する色信号を生成するランダム色信号生成手段と
を具備することを特徴とする表示装置。
【請求項３】
上記ランダム信号発生回路は、各種の論理回路を有し、
上記論理回路による論理演算結果から上記ランダムな信号を得ることを特徴とする請求項２に記載の表示装置。
【請求項４】
上記ランダム信号発生回路は、論理否定回路、論理積回路および論理和回路を具備しており、
上記２つの基準信号の一方をＡ、他方をＢとしたときに、Ａ（ＡＮＤ）Ｂ、Ａ（ＯＲ）Ｂ、Ａ*（ＡＮＤ）Ｂ、Ａ*（ＯＲ）Ｂ、Ａ（ＡＮＤ）Ｂ*、Ａ（ＯＲ）Ｂ*、Ａ*（ＡＮＤ）Ｂ*、Ａ*（ＯＲ）Ｂ*の８つの論理演算を行うように構成され、
上記ランダム色信号生成手段は、上記ランダム信号発生回路によりにより得られる８つのデ−タを上記色信号の各ビットに割り当てることにより、ランダムな階調を有する色信号を生成することを特徴とする請求項３に記載の表示装置。
（Ａ*、Ｂ*は、それぞれ基準信号Ａ、Ｂの論理否定信号）
【請求項５】
上記ランダム色信号生成手段による色信号の生成は、所定の操作があったことを受けて行われることを特徴とする請求項４に記載の表示装置。
【請求項６】
上記表示部は、プラズマディスプレイパネルからなることを特徴とする請求項２〜５のいずれか１に記載の表示装置。
【発明の詳細な説明】
【技術分野】
【０００１】
本発明は、表示装置に関し、特に、発光体を発光させて画像を表示させるプラズマディスプレイパネル（ＰＤＰパネル）を表示部として具備する表示装置に関するものである。
【背景技術】
【０００２】
プラズマディスプレイパネル（ＰＤＰ）を備えた表示装置では、３色の色信号Ｒ（赤）、Ｇ（緑）、Ｂ（青）の各発光体を発光させてカラ−画像を表示させる。このような表示装置では、発光体を発光させている関係上、表示内容や使用時間に応じて、表示画面上に焼き付きが発生してしまうという問題がある。例えば、長時間にわたって同一のＯＳＤ表示を継続して行っていたり、テレビゲ−ムを行っている途中の静止画像を長時間継続して表示させていたりすると、静止画像の輝度の段差に基づく焼き付きが発生し、表示画面が見難くなってしまう。
【０００３】
このような問題を解決するためのものとして、従来、表示画面の焼き付きが発生したときに、その画像の輝度を反転させた画像を表示させることにより、表示画面全体の焼き付きの均一化を行うようにした表示装置が知られている（例えば、特許文献参照）。
また、無信号状態のときの砂嵐画面を表示させることにより、表示画面全体の焼き付きを均一化させるようにした表示装置も知られている。
【特許文献１】特開平８−２４８９３５号公報
【発明の開示】
【発明が解決しようとする課題】
【０００４】
しかしながら、上述した特許文献１に記載の表示装置では、最初に画面に焼き付いたパタ−ンが残っていないとそのパタ−ンに基づく輝度の反転を行うことができないという問題があり、また、上述した砂嵐を表示させる表示装置では、画素が荒く表示されるため、表示画面の焼き付きが綺麗に均一化されないという問題があった。
【０００５】
本発明は、かかる実情に鑑み、焼き付いた部分が目立たせることなく、表示画面の焼き付きを綺麗に均一化させることが可能な表示装置を提供することを目的とする。
【課題を解決するための手段】
【０００６】
上記目的を達成するため、請求項２にかかる発明は、入力映像信号に基づいて所定の表示画像を表示部に表示させる表示装置において、
それぞれ異なる周波数の２つの基準信号を発生する基準信号発生回路と、
上記基準信号発生回路にて発生した２つの基準信号に基づいて、ランダムな信号を生成するランダム信号発生回路と、
上記ランダム信号発生回路にて生成した信号を基準クロックによりサンプリングし、これを８ビットのＲ、Ｇ、Ｂの各色信号に適用してランダムな輝度を有する色信号を生成するランダム色信号生成手段とを具備する構成としてある。
【０００７】
上記のように構成した請求項２において、表示装置は、入力映像信号に基づいて所定の表示画像を表示部に表示させるものである。なお、請求項２において、この表示部としては特に限定されず、プラズマディスプレイパネルからなるものであってもよく、液晶パネルであってもよく、ＣＲＴディスプレイであってもよい。
また、表示装置は、それぞれ異なる周波数の２つの基準信号を発生する基準信号発生回路と、この基準信号発生回路にて発生した２つの基準信号に基づいて、ランダムな信号を生成するランダム信号発生回路とを具備している。このランダム信号発生回路は、例えば、上記基準信号発生回路にて生成される２つの基準信号の論理和、論理積等の論理演算を行うように構成されている。
【０００８】
そして、請求項２の発明にかかる表示装置は、上記ランダム信号発生回路にて生成した信号を基準クロックによりサンプリングし、これを８ビットのＲ、Ｇ、Ｂの各信号に適用してランダムな階調を有する色信号を生成するランダム色信号生成手段を具備している。例えば、上記２つの基準信号の論理演算により得られた８つの信号を、基準クロックによりサンプリングし、これを、Ｒ、Ｇ、Ｂの各色の８ビットの色信号（２５６階調）の各ビットに適用し、ランダムな階調を有する色信号を生成するのである。このようにすることにより、Ｒ、Ｇ、Ｂの各色について、所定時間毎に、各画素毎にランダムな階調に切り替わり、これにより、表示画面全体の焼き付きを高精度で均一化させることが可能となる。
【０００９】
また、請求項３にかかる発明は、上記ランダム信号発生回路か各種の論理回路を有しており、上記論理回路による論理演算結果から上記ランダムな信号を得る構成としてある。
上記のように構成した請求項３にかかる発明において、基準信号発生回路にて発生した２つの基準信号に対し、各種の論理演算（ＡＮＤ演算、ＯＲ演算、ＮＯＴ演算等）を行うことにより得られた信号からランダムな信号を得ることが可能となる。
【００１０】
また、請求項４にかかる発明は、上記ランダム信号発生回路は、論理否定回路、論理積回路および論理和回路を具備しており、
上記２つの基準信号の一方をＡ、他方をＢとし、Ａ*、Ｂ*を、それぞれ基準信号Ａ、Ｂの論理否定信号としたときに、Ａ（ＡＮＤ）Ｂ、Ａ（ＯＲ）Ｂ、Ａ*（ＡＮＤ）Ｂ、Ａ*（ＯＲ）Ｂ、Ａ（ＡＮＤ）Ｂ*、Ａ（ＯＲ）Ｂ*、Ａ*（ＡＮＤ）Ｂ*、Ａ*（ＯＲ）Ｂ*の８つの論理演算を行うように構成され、
上記ランダム色信号生成手段は、上記ランダム信号発生回路により得られる８つのデ−タを上記色信号の各ビットに割り当てることにより、ランダムな階調を有する色信号を生成する構成としてある。
上記のように構成した請求項４にかかる発明において、８ビット（２５６階調）の色信号の各ビットに割り当てるデ−タを簡易な回路構成にて生成することが可能となる。
【００１１】
また、請求項５にかかる発明は、上記ランダム色信号生成手段による色信号の生成は、所定の操作があったことを受けて行われる構成としてある。
上記のように構成した請求項５にかかる発明において、各画素の階調がランダムに変化させて焼き付きの低減を行わせる動作が、利用者による所定の操作を待って行われる。
【００１２】
さらに、請求項６にかかる発明は、上記表示部が、プラズマディスプレイパネルからなる構成としてある。
上記のように構成した請求項６において、プラズマディスプレイパネルの表示画面の焼き付きを目立たなくすることが可能となる。
【発明の効果】
【００１３】
本発明の請求項２にかかる発明では、表示画面全体の焼き付きを高精度で均一化させることが可能となる。
請求項３にかかる発明では、基準信号発生回路にて発生した２つの基準信号に対し、各種の論理演算を行うことにより得られた信号からランダムな信号を得ることが可能となる。
請求項４にかかる発明では、８ビットの色信号の各ビットに割り当てるデ−タを簡易な回路構成にて生成することが可能となる。
請求項５にかかる発明では、各画素の階調がランダムに変化させて焼き付きの低減を行わせる動作が、利用者による所定の操作を待って行われる。
請求項６にかかる発明では、プラズマディスプレイパネルの表示画面の焼き付きを目立たなくすることが可能となる。
【発明を実施するための最良の形態】
【００１４】
図１は、本発明にかかるプラズマディスプレイパネル（ＰＤＰ）を備えたテレビジョンとしての表示装置（ＰＤＰ表示装置）の概略構成を示すブロック図である。同図において、ＰＤＰ表示装置２０は、アンテナ１０からの周波信号を入力するチュ−ナ部２２を備えている。チュ−ナ部２２は、いわゆるシンセサイザ方式のチュ−ナの構成とされ、選局制御信号としてＰＬＬデータ、すなわち、ＰＬＬル−プにおける可変分周回路の分周比のデ−タがチュ−ナ部２２に与えられる。
【００１５】
チュ−ナ部２２からの出力は、映像信号処理部２３に供給される。映像信号処理部２３は、カラ−デコ−ダ２３ａと、ＩＰ変換部２３ｂと、ＯＳＤ処理部２３ｄとを備えている。カラ−デコ−ダ２３ａは、図示しないＡ／Ｄ変換器を備え、入力されたＲ、Ｇ、Ｂの３原色信号をデジタル信号に変換する。さらに、カラ−デコ−ダ２３Ａ／Ｄは、映像信号と音声信号との分離も行い、分離された音声信号を図示しない（Ｄ／Ａ変換器）に供給する。
【００１６】
ＯＳＤ処理部２３ｄは、映像に所定の静止画像を重ねて表示したり、所定の静止画像を差し替えて表示する等の処理を行うことができる。ＯＳＤ処理部２３ｄは、文字情報等のデ−タを図示しないＣＰＵ等から入力し、同文字情報等のデ−タに基づいて静止画像を生成することが可能となっている。ＩＰ変換部２３ｂは、連続するインタ−レ−ス形式の映像信号をプログレッシブ形式の映像信号に変換する。また、スケ−ラ２４は、入力したデジタルの映像信号を、ＰＤＰパネル２７が有する画面の大きさに合致するように変換を行う。スケ−ラ２４に接続されたＸＹドライバ２６は、ＬＶＤＳ変換回路等を含み、ＰＤＰパネル２７に各種の画像を表示させるために、発光体の駆動制御を行う。
【００１７】
また、スケ−ラ２４には、ランダム信号生成回路３０が接続されている。このランダム信号生成回路３０は、後に詳述するが、ＰＤＰパネル２７の焼き付きを均一化させるために、所定時間（例えば、１／３０秒）毎に各画素の階調がランダムに異なるような画像（以下、焼付低減化画像という）を表示させる処理を行う。なお、このランダム信号生成回路３０では、各画素について、８ビット（２５６階調）の色信号が生成されるため、上述したスケ−ラ２４での変換、すなわち、ＰＤＰパネル２７の画面の大きさに合致するような変換は行われない。
【００１８】
図２は、図１に示したランダム信号生成回路３０の概略構成を示すブロック図である。同図において、ランダム信号生成回路３０は、基準信号発生回路３１を具備している。この基準信号発生回路３１は、それぞれ周波数の異なる２つの基準信号（デジタル信号）Ａ、Ｂを発生させる。また、この基準信号発生回路３１には、２つの論理否定回路３２が接続されており、基準信号発生回路３１から出力される基準信号Ａ、Ｂに対してそれぞれ論理否定演算を行うようになっている。
【００１９】
また、基準信号発生回路３１は、４つの論理積回路３３および４つの論理和回路３４と接続されており、基準信号Ａ、基準信号Ａの論理否定信号Ａ*、基準信号Ｂ、基準信号Ｂの論理否定信号Ｂ*が入力されるようになっている。具体的には、４つの論理積回路３３、および、４つの論理和回路３４には、それぞれ、基準信号Ａおよび基準信号Ｂ、基準信号Ａの論理否定信号Ａ*および基準信号Ｂ、基準信号Ａおよび基準信号Ｂの論理否定信号Ｂ*、並びに、基準信号Ａの論理否定信号Ａ*および基準信号Ｂの論理否定信号Ｂ*が入力されるようになっている。その結果、４つの論理積回路３３と４つの論理和回路３４とからなる８つの論理演算回路からは、それぞれ、Ａ（ＡＮＤ）Ｂ、Ａ（ＯＲ）Ｂ、Ａ*（ＡＮＤ）Ｂ、Ａ*（ＯＲ）Ｂ、Ａ（ＡＮＤ）Ｂ*、Ａ（ＯＲ）Ｂ*、Ａ*（ＡＮＤ）Ｂ*、Ａ*（ＯＲ）Ｂ*の８つの論理演算信号が出力されることとなるのである。
【００２０】
上述した８つの出力は、色信号生成回路３５に入力される。色信号生成回路３５は、所定の基準クロックにより入力された８つの論理演算信号をサンプリングして「０」または「１」のデジタルデ−タをそれぞれ取得し、これら８つのデジタルデ−タを色信号の８ビット階調値にそれぞれ割り当て、割り当てられた階調値を有する色信号を出力するものである。例えば、Ａ（ＡＮＤ）Ｂ、Ａ（ＯＲ）Ｂ、Ａ*（ＡＮＤ）Ｂ、Ａ*（ＯＲ）Ｂ、Ａ（ＡＮＤ）Ｂ*、Ａ（ＯＲ）Ｂ*、Ａ*（ＡＮＤ）Ｂ*、Ａ*（ＯＲ）Ｂ*の８つの論理演算信号のサンプリングデ−タを、それぞれ下位ビットに順に割り当てることにより、「０１０１０１０１」のビット列からなる階調値の色信号が得られることとなる。なお、この場合、階調値は「１７０」となる。
なお、図２では、Ｒ、Ｇ、Ｂ３色のうち、Ｒのみについての色信号生成方法について説明したが、残りのＧ、Ｂの２色についても、このランダム信号生成回路３１により同様の信号処理が行われる。
【００２１】
図３は、上記基準信号の波形、上記８つの論理演算信号の波形、および、同８つの論理演算信号のサンプリングにより得られるデ−タを示す図である。同図において、上段には、基準信号Ａ、Ｂの波形、その下側には、基準信号Ａの論理否定信号Ａ*、基準信号Ｂの論理否定信号Ｂ*の波形、その下側には、Ａ（ＡＮＤ）Ｂ、Ａ（ＯＲ）Ｂ、Ａ*（ＡＮＤ）Ｂ、Ａ*（ＯＲ）Ｂ、Ａ（ＡＮＤ）Ｂ*、Ａ（ＯＲ）Ｂ*、Ａ*（ＡＮＤ）Ｂ*、Ａ*（ＯＲ）Ｂ*の８つの論理演算信号の波形がそれぞれ示されている。また、その下側には、サンプリングのタイミングとなる基準クロックＴの波形が示されている。
【００２２】
図２に示したランダム信号生成回路３０は、上記基準クロックＴの周期のタイミングに合わせて、上記８つの論理演算信号をサンプリングし、それぞれについて「０」または「１」の値を有するデジタルのデ−タを取得する。図３の下段には、Ａ（ＡＮＤ）Ｂ、Ａ（ＯＲ）Ｂ、Ａ*（ＡＮＤ）Ｂ、Ａ*（ＯＲ）Ｂ、Ａ（ＡＮＤ）Ｂ*、Ａ（ＯＲ）Ｂ*、Ａ*（ＡＮＤ）Ｂ*、Ａ*（ＯＲ）Ｂ*の８つの論理演算信号についてサンプリングが行われた結果、得られるデジタルデ−タが示されている。そして、同じタイミングでサンプリングされた上記８つの論理演算信号についてのデ−タを、８ビットの色信号の階調値に割り当てるのである。例えば、図中、破線にて囲まれた部分は、Ａ（ＡＮＤ）Ｂ、Ａ（ＯＲ）Ｂ、Ａ*（ＡＮＤ）Ｂ、Ａ*（ＯＲ）Ｂ、Ａ（ＡＮＤ）Ｂ*、Ａ（ＯＲ）Ｂ*、Ａ*（ＡＮＤ）Ｂ*、Ａ*（ＯＲ）Ｂ*についてのデ−タがそれぞれ、「１」、「１」、「０」、「１」、「０」、「１」、「０」、「０」となっているが、これらのデ−タが順に下位ビットになるように割り当てると、階調値「００１０１０１１」が得られる。なお、この階調値は、１０進数に換算すると、「２１２」である。なお、本発明においては、必ずしも、実施形態のように、サンプリングにより得られた８つのデ−タを順に階調値の下位ビットになるように割り当てる必要はなく、例えば、順に上位ビットになるように割り当てを行ってもよく、得られた８つのデ−タの割り当て方法については特に限定されるものではない。また、Ｒ、Ｇ、Ｂの各色の階調値について、割り当て方法を変更するようにしてもよい。
【００２３】
このように各画素の階調値がランダムに決定され、この決定された階調値を有する色信号に基づいて画像を表示させることにより、表示画面全体の焼き付きを均一化させることが可能となるのである。また、このランダム信号生成回路３０では、各画素毎の階調値をランダムに変化させるため、砂嵐を表示させる場合と比較して、画素の細かいランダム画像を得ることが可能となるのである。
【００２４】
図４は、図２、図３を用いて示した焼付低減化画像を表示させるときの処理の流れを示すフロ−チャ−トである。まず、ステップＳ１００において、メニュ−画面を表示させる処理を行う。このメニュ−画面の表示は、利用者によるリモコン等の操作の入力があったときに表示されるものである。メニュ−画面が表示されると、次に、ステップＳ１１０において、焼付低減化画像の表示指示があったか否かを判定する。すなわち、上記メニュ−画面の表示中に、リモコン等の操作により焼付低減化画像を表示させる旨の指示の入力があったか否かを判定する。
【００２５】
ステップＳ１１０において、焼付低減化画像の表示指示がなかったと判定した場合には、本サブル−チンを終了させる一方、表示指示があったと判定した場合には、ステップＳ１２０において、焼付低減化画像を表示させる処理を行う。この処理において、図２、図３に示したように、ランダム信号生成回路３０を用いて、各画素毎にランダムの階調値を有するように３色（Ｒ、Ｇ、Ｂ）の色信号を生成し、この色信号に基づいて焼付低減化画像を表示させる処理を行う。なお、このとき、スケ−ラ２４を用いてＰＤＰパネル２７の表示画面の大きさに合わせる処理は行われない。すなわち、同表示画面の各画素について階調値がランダムに設定された色信号が生成され、これに基づいて、各画素を発光させるのである。
【００２６】
ステップＳ１２０の処理を実行すると、次に、ステップＳ１３０において、焼付低減化画像の表示終了指示があったか否かを判定する。同指示は、焼付低減化画像を表示させる場合と同様、リモコン等の操作により行うことが可能である。ステップＳ１３０において焼付低減化画像の表示終了指示がなかったと判定した場合には、ステップＳ１３０に処理を戻す。この場合、焼付低減化画像の表示が継続される。一方、表示終了指示があったと判定した場合には、つづくステップＳ１４０において焼付低減化画像の表示を終了させて本サブル−チンを終了させる。
以上、説明したように、実施形態にかかるＰＤＰ表示装置２０では、利用者の所定の指示の入力により焼付低減化画像の表示を開始および終了させるのである。なお、本発明では、タイマ−の設定により上記焼付低減化画像を表示させる時間を設定することができるように構成されていてもよい。
【００２７】
以上説明したように、実施形態にかかるＰＤＰ表示装置２０では、基準信号発生回路３１により発生するそれぞれ異なる周波数の２つの基準信号Ａ、Ｂに基づいて、論理否定回路３２、論理積回路３３および論理和回路３４を用いて、Ａ（ＡＮＤ）Ｂ、Ａ（ＯＲ）Ｂ、Ａ*（ＡＮＤ）Ｂ、Ａ*（ＯＲ）Ｂ、Ａ（ＡＮＤ）Ｂ*、Ａ（ＯＲ）Ｂ*、Ａ*（ＡＮＤ）Ｂ*、Ａ*（ＯＲ）Ｂ*の８つの論理演算信号を生成させ、この８つの論理演算信号を基準クロックによりサンプリングして１ビットのデ−タ（８つ）を取得し、さらに、この８つのデ−タをそれぞれ、階調値を示す８ビットの各ビットにそれぞれ割り当てることにより、ランダムな階調を有する各画素の色信号を生成するように構成されているため、表示画面全体の焼き付きを高精度で均一化させることが可能となる。
【図面の簡単な説明】
【００２８】
【図１】ＰＤＰ表示装置の構成を示すブロック図である。
【図２】図１に示したランダム信号生成回路の概略構成を示すブロック図である。
【図３】上記基準信号の波形、上記８つの論理演算信号の波形、および、同８つの論理演算信号のサンプリングにより得られるデ−タを示す図である。
【図４】焼付低減化画像を表示させるときの処理の流れを示すフロ−チャ−トである。
【符号の説明】
【００２９】
１０…アンテナ
２０…ＰＤＰ表示装置
２２…チュ−ナ部
２３…映像信号処理部
２３ａ…カラ−デコ−ダ
２３ｂ…ＩＰ変換部
２３ｄ…ＯＳＤ処理部
２４…スケ−ラ−
２５…フレ−ムメモリ
２６…ＸＹドライバ
２７…ＰＤＰパネル
３０…ランダム信号生成回路
３１…基準信号発生回路
３２…論理否定回路
３３…論理積回路
３４…論理和回路
３５…色信号生成回路
【図１】
2006313281.tif 000003
【図２】
2006313281.tif 000004
【図３】
2006313281.tif 000005
【図４】
2006313281.tif 000006